(57)【要約】データ記録領域データが所定のデータ記録標準によって記憶される少なくとも１つのデータ記録領域を備えているデータ担体は、データ記録領域に少なくとも１つの欠陥領域を備え、欠陥領域は、所定のデータ記録標準の少なくとも１つのパラメータとの不一致が生じるように企図され、上記データ担体は更に、データ担体上の少なくとも１つの欠陥領域の位置に関する位置情報を備える少なくとも１つの欠陥局所化領域を備える。
2006526866.tif 000002
【特許請求の範囲】
【請求項１】
データ記録領域データが所定のデータ記録標準によって記憶されており、少なくとも１つの欠陥領域が埋め込まれている少なくとも１つのデータ記録領域を備えているデータ担体であって、
前記欠陥領域は、前記所定のデータ記録標準の少なくとも１つのパラメータと前記欠陥領域とに不一致が生じ、前記データ担体上の前記少なくとも１つの欠陥領域の位置についての位置情報を備える少なくとも１つの欠陥局所化領域と前記欠陥領域とに不一致が生じるように企図されることを特徴とするデータ担体。
【請求項２】
請求項1記載のデータ担体であって、
前記データ記録標準のパラメータであり、該パラメータと前記欠陥領域とに不一致が生じるものが、前記データ担体の物理パラメータを規定することを特徴とするデータ担体。
【請求項３】
請求項1記載のデータ担体であって、
前記データ記録標準のパラメータであり、該パラメータと前記欠陥領域とに不一致が生じるものが、前記データ担体の論理パラメータを規定することを特徴とするデータ担体。
【請求項４】
請求項1記載のデータ担体であって、
前記欠陥領域と、前記所定のデータ記録標準の前記少なくとも１つのパラメータとに不一致が生じており、該不一致が、前記データ記録標準による、標準に準拠した誤り訂正手法によって修正できないようなものであることを特徴とするデータ担体。
【請求項５】
請求項1記載のデータ担体であって、
データ走査手段に対して、前記欠陥局所化領域が前記データ記録領域に先行して配置されることを特徴とするデータ担体。
【請求項６】
請求項1記載のデータ担体であって、
データ走査手段に対して、各欠陥領域に先行して欠陥局所化領域が配置されていることを特徴とするデータ担体。
【請求項７】
請求項1記載のデータ担体であって、
少なくとも１つの欠陥領域が識別情報を備えることを特徴とするデータ担体。
【請求項８】
請求項７記載のデータ担体であって、
前記識別情報が、以下のアイテム、すなわち、
シリアル番号と、個人識別番号と、指紋と、画像ファイルなどのディジタル・ファイルとのうちの1つ又は複数のものを備えることを特徴とするデータ担体。
【請求項９】
請求項1記載のデータ担体であって、
該データ担体の前記少なくとも１つの欠陥領域の位置についての位置情報が、前記データ記録領域内のデータ・トラックに沿った前記欠陥領域の各々の開始位置情報及び終了位置情報を備えることを特徴とするデータ担体。
【請求項１０】
請求項1記載のデータ担体であって、
CD、CD-ROM又はDVDなどの光学的データ担体であることを特徴とするデータ担体。
【請求項１１】
データ担体からのデータを、該データを走査手段によって走査することによって読み取るデータ再生方法であって、
前記データは前記データ担体のデータ記録領域に所定のデータ記録標準によって記憶され、
少なくとも１つの欠陥領域は、前記データ記録領域に埋め込まれ、
前記欠陥領域は、前記データ記録標準の少なくとも１つのパラメータと該欠陥領域とに不一致が生じるように企図され、
該不一致は、前記データ記録標準による、標準に準拠した誤り訂正手法によって修正することができないことが好ましく、
前記データ担体は、前記データ担体上の前記少なくとも１つの欠陥領域の位置についての位置情報を備える少なくとも１つの欠陥局所化領域を有し、
前記位置情報を前記欠陥局所化領域から読み取ることによって前記データ担体上の少なくとも１つの欠陥領域の前記局所化を行う工程と、
前記標準に準拠した前記データ記録領域を前記走査手段が走査する際に前記データ記録領域から前記データを読み取る工程と、
前記データ記録領域における欠陥領域に隣接したデータ読み取り位置に前記走査手段を、該走査手段が欠陥領域にある場合に移動させる工程とを備えることを特徴とするデータ再生方法。
【請求項１２】
請求項11記載のデータ再生方法であって、
欠陥領域を介して前記走査手段を移動させる工程が、
前記走査手段を、前記データ記録標準に準拠するものでない前記欠陥領域からの信号を前記走査手段が受信する非標準走査モードに切り替える工程を備えることを特徴とするデータ再生方法。
【請求項１３】
請求項11記載のデータ再生方法であって、
前記走査手段に対して、前記欠陥局所化領域が前記データ記録領域に先行して配置されることを特徴とするデータ再生方法。
【請求項１４】
請求項11記載のデータ再生方法であって、
前記走査手段に対して、各欠陥領域に先行して欠陥局所化領域が存在していることを特徴とするデータ再生方法。
【請求項１５】
請求項12記載のデータ再生方法であって、
前記走査手段によって前記欠陥領域から受信される前記信号が、識別情報を備えることを特徴とするデータ再生方法。
【請求項１６】
請求項15記載のデータ再生方法であって、
前記識別情報が、以下のアイテム、すなわち、
シリアル番号と、個人識別番号と、指紋と、画像ファイルなどのディジタル・ファイルとのうちの1つ又は複数のものを備えることを特徴とするデータ再生方法。
【請求項１７】
請求項11記載のデータ再生方法であって、
前記データ担体上の前記少なくとも１つの欠陥領域の位置についての位置情報が、前記データ記録領域内のデータ・トラックに沿った前記欠陥領域の各々の開始位置情報及び終了位置情報を備え、
前記走査手段を移動させる工程が、前記位置情報に基づいて制御されることを特徴とするデータ再生方法。
【請求項１８】
データ担体からデータを読み取るデータ再生装置であって、
前記データは前記データ担体のデータ記録領域に所定のデータ記録標準によって記憶され、
少なくとも１つの欠陥領域は、前記データ記録領域に埋め込まれ、
前記欠陥領域は、前記所定のデータ記録標準の少なくとも１つのパラメータと該欠陥領域とに不一致が生じるように企図され、
該不一致は、前記データ記録標準による、標準に準拠した誤り訂正手法によって修正することができないことが好ましく、
前記データ担体は、前記データ担体上の前記少なくとも１つの欠陥領域の位置についての位置情報を備える少なくとも１つの欠陥局所化領域を有し、
前記データ記録領域から前記データを読み取る目的と、前記欠陥領域の位置についての位置情報を前記欠陥局所化領域から読み取る目的とで、前記データ担体を走査する走査手段と、
該走査手段を制御する走査制御手段と、
前記欠陥領域の位置についての前記位置情報によって、標準データ再生モードと欠陥制御モードとの間で、前記走査手段及び/又は前記走査制御手段を切り替える切り替え手段とを備えることを特徴とするデータ再生装置。
【請求項１９】
請求項18記載のデータ再生装置であって、
前記走査手段は、前記欠陥領域制御モードにおいて、前記欠陥領域から識別情報を読み取ることを可能にするよう企図されることを特徴とするデータ再生装置。
【請求項２０】
請求項19記載のデータ再生装置であって、
前記識別情報をデフォールト値と比較する比較手段が備えられることを特徴とするデータ再生装置。
【請求項２１】
請求項20記載のデータ再生装置であって、
前記比較手段は、前記識別情報が前記デフォールト値に一致しない場合に前記データ担体から前記データを読み取らないようにするよう企図されることを特徴とするデータ再生装置。
【発明の詳細な説明】
【技術分野】
【０００１】
本発明は、データ記録領域データが所定のデータ記録基準によって記憶される少なくとも１つのデータ記録領域を備えるデータ担体に関する。
【０００２】
本発明は、走査方策によってデータ担体を走査することによってデータ担体からデータを読み取るデータ再生方法に更に関する。
【０００３】
本発明は、データ担体からデータを読み取るデータ再生装置に更に関し、データは、所定のデータ記録標準によってデータ担体のデータ記録領域に記憶される。
【背景技術】
【０００４】
１つのそのようなデータ担体、１つのそのようなデータ再生方法及び１つのそのようなデータ再生装置は、国際公開第01/43123号の文献によって公知である。この文献は、データ担体上の使用されていない領域をデータ記録標準によって、これらの未使用領域に更なる識別情報を記憶する目的で活用するという着想を明らかにしている。より厳密には、上記文献は、CD-RWなどの光ディスクのトラック間のいわゆるランドと呼ばれる空間において書き込みレーザ・ビームによって記録されるということから結果として生じるいくつかの可能性を記載している。この情報は、目に見えて認識可能なパターンがディスク上に存在するように生成することができる。このパターンは、例えば、指紋の画像であり、それによってデータ担体をユーザに一意に割り当てるものであってもよい。
【発明の開示】
【発明が解決しようとする課題】
【０００５】
従来技術の担体、データ再生方法及びデータ再生装置において明らかになった欠点は、識別情報と、結果として生じるパターンとの各々が、データ記録標準によってデータ記録領域として定義により用いられない、データ担体の領域にしか書き込まれないというものである。この方策によって、データ記録標準が実施される全プレイヤ上でデータ担体が読み取り可能のままに留まるという想定される利点は、何れかのそのようなデータ担体の海賊コピーの作成が従来技術の方策によって何ら妨げられないという欠点によって打ち消される。この種のデータ担体の海賊コピーは元のデータ担体の目に見えて識別可能なパターン又は識別情報を保持するものでないが、海賊コピーは、なお完全に利用可能な状態に留まる。それは、海賊コピーがデータ記録標準をなお満たすからである。
【課題を解決するための手段】
【０００６】
本発明の目的は、上記欠点がないようにしている、本明細書の第１の段落に規定されているタイプによってデータ担体と、第２の段落に規定されているタイプのデータ再生方法と、第３の段落に規定されているタイプのデータ再生装置とを創造することにある。上記課題を解決するために、本発明による特徴的な特性を本発明によるデータ担体に備えており、その結果、本発明によるデータ担体を以下の方法で特徴付けることができる。
【０００７】
少なくとも１つのデータ記録領域を備えるデータ担体には、データ記録領域データが所定のデータ記録標準によって記憶されており、少なくとも１つの欠陥領域が埋め込まれており、その欠陥領域は、所定のデータ記録標準の少なくとも１つのパラメータとの不一致が生じ、データ担体上の少なくとも１つの欠陥領域の位置についての位置情報を備える少なくとも１つの欠陥局所化領域とも不一致が生じるように企図される。
【０００８】
上記目的を達成するために、本発明による特徴的な特性が本発明によるデータ再生方法において備えられるので、本発明によるデータ再生方法を以下の方法で特徴付けることができる。
【０００９】
データ再生方法は、データ担体を走査方策によって走査することによってデータ担体からデータを読み取り、データは、所定のデータ記録標準によってデータ担体のデータ記録領域に記憶され、少なくとも１つの欠陥領域がデータ記録領域に埋め込まれ、その欠陥領域は、所定のデータ記録標準の少なくとも１つのパラメータとの不一致が生じるように企図され、不一致は好ましくは、データ記録方法によって標準に準拠した誤り訂正手法によって修正できないものであり、データ担体は、データ担体上の少なくとも１つの欠陥領域の位置についての位置情報を備える少なくとも１つの欠陥局所化領域を有し、上記方法は、
位置情報を欠陥局所化領域から読み取ることによってデータ担体上の少なくとも１つの欠陥領域を局所化する工程と、
走査方策が、標準に準拠してデータ記録領域を走査する場合に、データ記録領域からデータを読み取る工程と、
走査方策が欠陥領域にある場合に、データ記録領域における欠陥領域に隣接したデータ読み取り位置に走査方策を動かす工程とを備える。
【００１０】
上記目的を達成するために、本発明による特徴的な特性を本発明によるデータ再生装置に備えるので、本発明によるデータ再生装置を以下のやり方で特徴付けることができる。
【００１１】
データ再生装置はデータをデータ担体から読み取り、データは、所定のデータ記録標準によってデータ担体のデータ記録領域に記憶され、少なくとも１つの欠陥領域がデータ記録領域に埋め込まれ、その欠陥領域は、所定のデータ記録標準の少なくとも1つのパラメータとの不一致が生じるように企図され、この不一致は好ましくは、データ記録標準による標準に準拠した誤り訂正方策によって修正することができず、データ担体は、データ担体上の少なくとも１つの欠陥領域の位置についての位置情報を備える少なくとも１つの欠陥局所化領域を有し、上記データ再生装置は、
データ読み取り領域からデータを読み取り、欠陥領域の位置についての位置情報を欠陥局所化領域から読み取る目的でデータ担体を走査する走査方策と、
走査方策を制御する走査制御方策と、
走査方策及び/又は走査制御方策を標準データ再生モードと欠陥領域制御モードとの間で、欠陥領域の位置についての位置情報によって切り替える切り替え方策とを備える。
【００１２】
本発明による特徴的な特性は、データ記録標準に準拠する記録装置を用いて作成される、本発明によるデータ担体の海賊コピーも、データ記録標準に準拠するデータ再生装置を用いてデータ担体からデータが読み取られることも妨げる役目を担う。データ担体上で記憶されているデータをよって、認可されていないアクセスから高い信頼度で保護することができる。一方、本発明による方策は、データ担体に既存の製造ラインを形成し、データ再生装置にハードウェア及び/又はファームウェアを形成することによって比較的簡単に実施することができる。データ再生装置は、読み取る対象のデータ担体に指定されるデータ記録標準との互換性を有する状態に留まるが、固有の記憶媒体形式の運用性という更なる特性も提供する。本発明は、とりわけ、ゲーム・コンソールのメーカによって特に効果的である。
【００１３】
請求項2記載の方策によれば、そのようなデータ担体が特別に装備された製造工場においてしか作成されることが可能でなく、それによって海賊コピーの作成による商業的な詐欺を非常に困難にするという効果が得られる。なお、そのような物理パラメータは、例えば、光学的データ担体の種々のレイヤの厚さ、位置、反射容量若しくは透明度、又は、データ担体上のデータ・トラックのトラック位置若しくは寸法を備え得る。
【００１４】
請求項3記載の方策によれば、製造工場を特に、本発明によるデータ担体の作成に特に再装備しなくてよいという効果が他方で得られる。論理パラメータは物理パラメータよりも簡単に変更できるので、この場合に重要な論理パラメータ値の秘密を保持すること及び/又は形成されるデータ再生装置におけるハードウェアによってその解析を実施することが必須である。
【００１５】
請求項4記載の方策によれば、本発明によるデータ担体上のデータによって本発明によって達成されるデータ・アクセス保護が、標準の再生装置において利用可能なものとして存在する誤り訂正手段によって行われるものでないという効果が得られる。
【００１６】
請求項5及び請求項13記載の方策によれば、データ記録標準との不一致が生じることなく欠陥局所化領域をデータ担体上に配置することができるという効果が他方で得られる。
【００１７】
請求項6及び請求項14記載の方策によれば、データ担体が、スクラッチなどの損傷に対して非常にロバストな保護を提供するという効果が他方で得られる。
【００１８】
請求項7、8、12、15、16及び19記載の方策によれば、各データ担体が識別可能である一方で、識別は、データ担体の、一連のメーカ若しくはユーザへの割り当て、又は特定のメーカ若しくはユーザへの割り当てなどの種々のレベルで行うことができる。識別情報は、当然、一意の識別番号も備え得る。識別情報は、データ担体上の目に見えるパターン、例えば、画像又は指紋を形成し得る。請求項20及び21記載の方策によれば、識別情報は非上に効果的なデータ・アクセス保護にも用い得る。
【００１９】
請求項9記載の方策によれば、既存のデータ再生装置を、連続してデータを再生するよう、比較的単純な方法で形成することができる。
【発明を実施するための最良の形態】
【００２０】
本発明のこれらや他の特徴は、以下に説明する実施例から明らかであり、実施例を参照しながら明らかになるものである。
【実施例】
【００２１】
図1は、例えば、CD、CD-ROM又はDVDとして、ディスク形状の光学的データ担体として企図された、本発明によるデータ担体1の平面図を示す。データ担体1は、データが所定のデータ記録標準、例えば、CD標準又はDVD標準によって記憶されるリング形状のデータ記録領域2を有する。CD標準とDVD標準との両方によって、データは、データ記録領域の内部エッジから外方向にらせん状に延びるデータ・トラックにおけるデータ記録領域において記憶される。データ記録領域2の内部エッジ上の同心円のリング形状の欠陥領域3があり、欠陥領域は、所定のデータ記録標準の少なくとも１つのパラメータとの不一致が生じるように企図される。なお、データ記録標準と不一致が生じるパラメータは、ポリカーボネートの最上層の屈折率、データを備えるメタライゼーション・レベルの反射容量や、データ担体を走査するのに備えるレーザ・ビームの偏光レベルなどの物理パラメータであり得る。データ担体媒体におけるそのような変化によって、走査手段におけるサーボ回路が適切に機能しなくなってしまう。このことは、読み取りレーザ・ビームの収束を崩壊させる場合があり、データ・トラック上のその誘導を混乱させる場合もある。なお、データ記録標準との不一致が生じるパラメータが論理パラメータであってよく、不一致は、欠落しているリードイン領域、欠落している目次、欠落しているか間違っているメディア・タグ又は走査手段校正明細などを備え得る。所定のパラメータは、例えば、CD標準又はDVD標準に関して決定的に重要な場合があり、それは、標準的な基準との不一致の結果、CD又はDVDが標準ドライブ上ではもう読み取り可能でない場合があるということを意味する。更に、データ担体1上の欠陥領域3の位置についての情報を備える、リング形状の欠陥局所化領域4が、データ記録領域2の内部エッジに沿って存在する。走査手段によるデータ記録領域の走査に関しては、欠陥局所化領域4はデータ記録領域に先行して配置される。
【００２２】
図2は、ディスク形状の光学的データ担体として、例えば、CD、CD-ROM、CD-RW、DVD又はDVD+(-)（R）Wとして企図される、本発明による別のデータ担体5の平面図を示す。データ担体5は、データが所定のデータ記録標準、例えばCD標準又はDVD標準によって記憶されるリング形状のデータ記録領域6を有する。所定のデータ記録標準のパラメータの少なくとも１つとの不一致が生じるように企図された扇形状又はストリップ形状の欠陥領域7は、内側から外方向にデータ担体の端まで、データ記録領域6をまっすぐ通って延びる。なお、データ記録領域における欠陥領域の形状及び位置は、これ以上何ら制限されず、欠陥領域がいくつかある場合もある。欠陥領域7に加えて、データ担体5上の欠陥領域7の位置についての情報を備える扇形状の欠陥局所化領域8も存在する。走査手段によるデータ記録領域の走査に関しては、欠陥局所化領域8はデータ記録領域7に先行して配置される。よって、CD標準又はDVD標準の場合、らせん状の各データ・トラックはまず、欠陥局所化領域8を通過し、次に、標準に準拠するデータ・トラックが中断される欠陥領域7を通過する。データ・ブロックは欠陥局所化領域8におけるらせん状のデータ・トラックの部分に符号化され、データ・ブロックは、位置情報として備えられ、例えば、欠陥領域を通って延び、この欠陥部分において標準との準拠性に欠けるという理由で、走査手段によって正常に走査できない、らせん状のデータ・トラックの部分上の開始位置及び終了位置を規定する、後の欠陥領域の特性及び位置についての情報を備える。データを読み取るうえで欠陥領域によって発生する誤りは、データ媒体上の表面上のスクラッチと違って、例えば、標準的な再生装置における、標準に準拠した誤り検出及び訂正の回路によって訂正することができないほど重大なものである。
【００２３】
データ担体1及び5上の欠陥領域3及び7は一方、不正空間又は干渉の情報を備えることによってデータ担体のデータ記録領域2及び6からデータを読み取ることを妨げるよう企図し得る。しかし、これらの領域は、使用されるデータ記録標準に定義されていない更なる識別情報を備えてもよく、更なる識別情報は、データ担体の一意の識別を容易にする。例えば、識別情報は、シリアル番号と、メーカ又はユーザの個人識別番号と、ユーザの指紋又は画像と、画像ファイル又は暗号化ファイルなどのディジタル・ファイルと、その他のものとのうちの1つ又は複数のものであってよい。
【００２４】
図3は、DVDとして企図される光学的データ担体5を走査する走査手段10の構成図である。DVD標準によれば、反射メタライゼーション層として企図されるデータ記録領域6は、各々の厚さが約0.6mmの２つの透明なポリカーボネート層5a、5bの間に配置される。データ担体5からデータを読み取る走査手段10は、放出されるレーザ・ビーム13がレンズ12によって集光され、データ記録領域6に向けられるレーザ・ダイオード11を備える。焦点調節コイル14を備えてレンズ12を調節する。データ記録領域6から反射されるレーザ・ビーム15は、光検出器16によって検出され、電気信号に変換され、電気信号は光検出器信号増幅器17によって増幅され、更に、フォーカシング・エラー信号生成器18に供給される。フォーカシング・エラー信号生成器18によって供給される出力信号は、フォーカシングPIDコントローラ19に入力信号として供給され、フォーカシングPIDコントローラでは、この信号が基準フォーカスオフセット値20と比較される。フォーカシングPIDコントローラ19は制御信号を供給し、この制御信号はドライバ21によって増幅され、この制御信号によって焦点調節コイル14はレンズ12を再調節するよう起動される。走査手段10は、標準装置に用いる通常の走査手段に相当する。
【００２５】
本発明によって、メタライゼーションが施されたデータ記録領域6が内表面に加えられるポリカーボネート層5aが施される厚さがより薄くなるように、この実施例では企図されたストリップ形状又は扇形状の欠陥領域7を備えたデータ担体5を企図する。このことによって、集光されたレーザ・ビーム13が欠陥領域7の端から端まで進む期間中に、PIDコントローラ19を備えている制御回路によって訂正できない程度にフォーカシング・レベルが変動する。その結果、走査手段10が実施されている標準的な再生装置は、この欠陥領域におけるデータ記録領域のレベル上のフォーカスを失う。更に、標準に準拠しているデータ担体の部分にレーザ・ビーム13が既に戻っている際にはいつでも、走査手段は再フォーカスを行い、正常なデータ・トラックを位置特定するうえで一定の回復時間がなお必要でもあるので、データ喪失が生じる。標準的なドライブがデータ担体を読み取ることができないようにするには欠陥領域7の測定幅が約2乃至6mmであればよいということが明らかになっている。データ担体が欠陥領域7によって全く使用不能な状態になってしまわないようにするために、以下に更に詳細に機能を説明する欠陥局所化領域8が存在している。
【００２６】
図4は、本発明による光データ担体5の変形の平面図及び拡大図を示す。光データ担体5は、らせん形状のデータ・トラック6aが内側から外方向に延びるリング形状のデータ記録領域6を備え、そのデータはトラックに沿った凸領域及び凹領域によって特徴付けられる。データ・トラック6aは、データ・トラックの各部分6bが通常のパターンと比べて半径方向にオフセットされた欠陥領域7によって各巻線において中断される。その結果、データ・トラック6aを走査するレーザ・ビーム13は、欠陥領域7を走査する際にデータ・トラックをはずれる。走査方向は矢印Aによって特徴付けられる。位置情報として備えられ、欠陥領域7におけるデータ・トラックの部分6aの次のミスアラインメントのサイズ及び位置に関する情報を備えるデータを備えるデータ・トラックの部分６cのうちの１つにおいて、走査方向において欠陥領域7に先行して欠陥局所化領域8が存在する。しかし、以下に説明するデータ再生装置は、データ・トラックの部分6cにおけるこのデータを正しく解釈するのに必要である。従来の装置の場合、そのようなデータ担体は読み取り不能であるものとして拒否されることになる。
【００２７】
図5は、本発明によるデータ再生装置の構成図を示す。このデータ再生装置は、本発明によって、欠陥領域と、欠陥領域の位置を示す欠陥局所化領域が、標準に準拠したデータ担体とは違って、追加される、図1乃至図4に示すデータ担体からデータを読み取るのに適している。本発明によるデータ再生装置は、図3に基づいて既に説明したように通常の特性のものであり得る走査手段10、すなわち、放出されるレーザ・ビーム13がレンズ12によって集光され、データ記録領域6に向けられるレーザ・ダイオード11を備えている走査手段を備える。焦点調節コイル14を備えてレンズ12の焦点を調節する。データ記録領域6から反射されるレーザ・ビーム15は、光検出器16によって検出され、電気信号に変換され、この電気信号は回路ブロック22に供給される。回路ブロック22は、光検出器16からの信号の増幅、フィルタリング及び他の処理を行うようにし、データ担体から読み取られるデータ（すなわち、データ記録領域6から読み取られ、所定のデータ記録標準によって符号化されるデータと、標準に準拠するものでなく、欠陥局所化領域8から読み取られ、適切な場合、欠陥領域7から読み取られるデータ）にシリアル・コードが割り当てられる、一方の高周波信号路23と、走査手段におけるサーボ回路を再調節するサーボエラー信号を備える、他方の低周波経路との２つの出力信号路を生成する。サーボエラー信号は、走査レーザ・ビームのフォーカス・エラー及び半径誤差を表し得る。
【００２８】
低周波信号路24は、走査手段10を制御するサーボ回路を備える走査制御手段25につながる。特に、走査制御手段25は、供給されるフォーカシング・エラー信号から制御信号を生成するフォーカシングPIDコントローラ19を備え、制御信号は、レンズ12の焦点を再調節する焦点調節コイル14を駆動するドライバ21によって増幅される。更に、走査制御手段25は、レーザ・ビームをトラッキングする、すなわち、集光させたレーザ・ビーム13をらせん形状のデータ・トラック上に保つ、役割を果たすラジアルPIDコントローラ26を備える。ラジアルPIDコントローラ26は、半径誤差信号を低周波信号路24から受信し、この誤差信号に基づいて制御信号を制御し、この制御信号は、磁石28と相互作用してレーザ・ビームの半径方向でのミスアラインメントを施すトラッキング・コイル29を駆動するドライバ27において増幅される。
【００２９】
本発明によるデータ担体5からデータを読み取るために、通常の走査手段10及び走査制御手段25に加えて、高周波信号路23上のデータから欠陥領域の位置についての位置情報を検出する切り替え手段29も存在し、この所定のデータはデータ担体5上の欠陥局所化領域8から生じる。この位置情報に基づいて、切り替え手段29は、標準データ再生モードと欠陥領域制御モードの間で走査制御手段25を切り替え、それによって走査手段10を間接的に切り替える。なお、欠陥領域の位置についての位置情報は、データ担体又はデータ・トラック上のその欠陥領域の絶対位置又は相対位置を備え得る。更に、位置についての位置情報は、使用されるデータ記録標準から暗黙的に結論付けることもできる。例えば、内部から外方向に凸領域及び凹領域の形式で延びるらせん状のデータ・トラック上にデータが記憶されるということはCD形式又はDVD形式によって分かる一方、CD又はDVDの現在の回転速度はいつでも分かっているので、例えば、タグ・データ・ブロックがデータ・トラック内で生起した後の所定の遅延時間に続いて、所定のデータ記録標準によるデータ・トラックの読み取りを不可能にする欠陥が生起することになるということを本発明によって述べることができる。タグ・データ・ブロックは、欠陥の長さについての情報及び/又は、情報について欠陥を走査するためか、少なくともその解決に成功するためにとらなければならない方策の特性についての情報も備え得る。
【００３０】
図5に示す、本発明によるデータ再生装置の実施例では、高周波信号路23のデータにおける上記タグ・データ・ブロックを検出し、これを解析し、これに備えられる情報は、例えば、xμsの間に生起する欠陥が、内方向又は外方向へのyμmのデータ・トラックの半径方向のミスアラインメントによって特徴付けられるか、上方向又は下方向へのzμmのフォーカシング・レベルのミスアラインメントによって特徴付けられる欠陥であるというものであり得る。この情報が備えられれば、切り替え手段29は、制御回路における何らかの遅延時間と、走査手段側の機械的慣性とを十分に考慮して、所定の切り替え時点で標準データ再生モードから欠陥領域制御モードに走査制御手段25を、レーザ・ビーム13をトラッキングするよう、トラッキング・コイル29の相当する、半径方向のミスアラインメントにつながり、よって、レーザ・ビーム13の相当する、半径方向のミスアラインメントにつながる変更された基準値を、走査制御手段25において実施されるトラッキングPIDコントローラ26にディジタル・アナログ変換器30を介して設定すること及び/又は、レーザ・ビーム13をフォーカシングするよう、走査制御手段25において実施されるフォーカシングPIDコントローラ19に、焦点調節コイル14の相当する再アラインメントにつながり、よって、レーザ・ビーム13のフォーカシング・レベルの相当する再アラインメントにつながる変更された基準値を設定することによって切り替えることができる。タグ・データ・ブロックは、後続する欠陥領域又は全欠陥領域に関するタイミング情報33を更に備えてもよく、この情報は、切り替え手段29からマイクロコントローラ31に転送され、マイクロコントローラはこの情報をバッファ・メモリに記憶し、コントローラ自体としては、このタイミング情報によって、制御線32及び切り替え手段29を介して走査制御手段25を起動させる。
【００３１】
本発明によるデータ担体は、データ再生装置における本発明によるこれらの方策なしでは読み取ることが可能でないことになるが、それは、データを何ら有しないか、無効データ又は読み取り不能データを有する、相当する長さの欠陥が通常のCDドライブ又はDVDドライブにおけるデータ・クロック・レート同期回路が一致しなくなるようにするからである。一方、本発明によるデータ再生装置は、CD標準又はDVD標準との下方互換性を維持し、よって、通常のCD並びにDVDの読み取り（及び、適切な場合、それらへの書き込み）を行うことができる。
【００３２】
本発明によるデータ担体上のデータ保護を更に向上させるようにするために、識別情報を欠陥領域に符号化することができ、それは、データ担体から予め読み取られ、再生装置において解析される。図5に示す、本発明によるデータ再生装置の記載によれば、データ担体のデータ記録標準に準拠するものでない情報を欠陥領域から読み取ることができる欠陥領域制御モードに切り替えることができる。この識別情報は、高周波信号路23を介して伝送される。
【００３３】
図6は、図5に示す、本発明によるデータ再生装置を補完する識別解析回路の構成図を示す。図6における回路では、マイクロコントローラ31は、高周波信号路23を傍受し、これから識別情報をフィルタリングし、この情報は、先行してメモリ35に記憶されているデフォールト値と比較される。ここに示す実施例では、デフォールト値は、指紋スキャナ34から受領することもできる。識別情報は、マイクロコントローラ31によってデフォールト値と比較され、比較が特定の基準に準拠しない場合、停止信号を走査制御手段25に送ってデータ担体をもう走査しないようにする。なお、デフォールト値は、基準CDから読み取ることによってメモリ35に書き込むことができる。
【図面の簡単な説明】
【００３４】
【図１】本発明によるデータ担体を示す平面図である。
【図２】本発明によるデータ担体の別の実施例を示す平面図である。
【図３】光データ担体を走査する走査手段を示す構成図である。
【図４】本発明による光学的データ担体の別の実施例を示す平面図及び拡大図である。
【図５】本発明によるデータ再生装置を示す構成図である。
【図６】図5に示すデータ再生装置を補完する識別解析回路を示す構成図である。
【図１】
2006526866.tif 000003
【図２】
2006526866.tif 000004
【図３】
2006526866.tif 000005
【図４】
2006526866.tif 000006
【図５】
2006526866.tif 000007
【図６】
2006526866.tif 000008
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
データ記録領域データが所定のデータ記録標準によって記憶されており、少なくとも１つの欠陥領域が埋め込まれている少なくとも１つのデータ記録領域を備えているデータ担体であって、
前記欠陥領域は、前記所定のデータ記録標準の少なくとも１つのパラメータと前記欠陥領域とに不一致が生じ、前記データ担体上の少なくとも１つの欠陥領域の位置についての位置情報を備える少なくとも１つの欠陥局所化領域と前記欠陥領域とに不一致が生じ、前記欠陥局所化領域が各欠陥領域に先行して配置されるように企図されることを特徴とするデータ担体。
【請求項２】
請求項1記載のデータ担体であって、
前記データ記録標準のパラメータであり、該パラメータと前記欠陥領域とに不一致が生じるものが、前記データ担体の物理パラメータを規定することを特徴とするデータ担体。
【請求項３】
請求項1記載のデータ担体であって、
前記データ記録標準のパラメータであり、該パラメータと前記欠陥領域とに不一致が生じるものが、前記データ担体の論理パラメータであることを特徴とするデータ担体。
【請求項４】
請求項1記載のデータ担体であって、
前記欠陥領域と、前記所定のデータ記録標準の前記少なくとも１つのパラメータとに不一致が生じており、該不一致が、前記データ記録標準による、標準に準拠した誤り訂正手法によって修正できないようなものであることを特徴とするデータ担体。
【請求項５】
請求項1記載のデータ担体であって、
データ走査手段に対して、前記欠陥局所化領域が前記データ記録領域に先行して配置されることを特徴とするデータ担体。
【請求項６】
請求項1記載のデータ担体であって、
少なくとも１つの欠陥領域が識別情報を備えることを特徴とするデータ担体。
【請求項７】
請求項6記載のデータ担体であって、
前記識別情報が、以下のアイテム、すなわち、
シリアル番号と、個人識別番号と、指紋と、画像ファイルなどのディジタル・ファイルとのうちの1つ又は複数のものを備えることを特徴とするデータ担体。
【請求項８】
請求項1記載のデータ担体であって、
該データ担体の前記少なくとも１つの欠陥領域の位置についての位置情報が、前記データ記録領域内のデータ・トラックに沿った前記欠陥領域の各々の開始位置情報及び終了位置情報を備えることを特徴とするデータ担体。
【請求項９】
請求項1記載のデータ担体であって、
CD、CD-ROM又はDVDなどの光学的データ担体であることを特徴とするデータ担体。
【請求項１０】
データをデータ担体から、該データ担体を走査手段によって走査することによって読み取るデータ再生方法であって、
前記データは前記データ担体のデータ記録領域に所定のデータ記録標準によって記憶され、
少なくとも１つの欠陥領域は、前記データ記録領域に埋め込まれ、
前記欠陥領域は、前記データ記録標準の少なくとも１つのパラメータと該欠陥領域とに不一致が生じるように企図され、
該不一致は、前記データ記録標準による、標準に準拠した誤り訂正手法によって修正することができないことが好ましく、
前記データ担体は、前記データ担体上の前記少なくとも１つの欠陥領域の位置についての位置情報を備える少なくとも１つの欠陥局所化領域を有し、
前記走査手段に対して、各欠陥領域に先行して前記欠陥局所化領域が配置され、
前記位置情報を前記欠陥局所化領域から読み取ることによって前記データ担体上の少なくとも１つの欠陥領域の前記局所化を行う工程と、
前記標準に準拠した前記データ記録領域を前記走査手段が走査する際に前記データ記録領域から前記データを読み取る工程と、
前記データ記録領域における欠陥領域に隣接したデータ読み取り位置に前記走査手段を、該走査手段が欠陥領域にある場合に移動させる工程とを備えることを特徴とするデータ再生方法。
【請求項１１】
請求項10記載のデータ再生方法であって、
欠陥領域を介して前記走査手段を移動させる工程が、
前記走査手段を、前記データ記録標準に準拠するものでない前記欠陥領域からの信号を前記走査手段が受信する非標準走査モードに切り替える工程を備えることを特徴とするデータ再生方法。
【請求項１２】
請求項10記載のデータ再生方法であって、
前記走査手段に対して、前記欠陥局所化領域が前記データ記録領域に先行して配置されることを特徴とするデータ再生方法。
【請求項１３】
請求項11記載のデータ再生方法であって、
前記走査手段によって前記欠陥領域から受信される前記信号が、識別情報を備えることを特徴とするデータ再生方法。
【請求項１４】
請求項13記載のデータ再生方法であって、
前記識別情報が、以下のアイテム、すなわち、
シリアル番号と、個人識別番号と、指紋と、画像ファイルなどのディジタル・ファイルとのうちの1つ又は複数のものを備えることを特徴とするデータ再生方法。
【請求項１５】
請求項10記載のデータ再生方法であって、
前記データ担体上の前記少なくとも１つの欠陥領域の位置についての位置情報が、前記データ記録領域内のデータ・トラックに沿った前記欠陥領域の各々の開始位置情報及び終了位置情報を備え、
前記走査手段を移動させる工程が、前記位置情報に基づいて制御されることを特徴とするデータ再生方法。
【請求項１６】
データ担体からデータを読み取るデータ再生装置であって、
前記データは前記データ担体のデータ記録領域に所定のデータ記録標準によって記憶され、
少なくとも１つの欠陥領域は、前記データ記録領域に埋め込まれ、
前記欠陥領域は、前記所定のデータ記録標準の少なくとも１つのパラメータと該欠陥領域とに不一致が生じるように企図され、
該不一致は、前記データ記録標準による、標準に準拠した誤り訂正手法によって修正することができないことが好ましく、
前記データ担体は、前記データ担体上の前記少なくとも１つの欠陥領域の位置についての位置情報を備える少なくとも１つの欠陥局所化領域を有し、
前記欠陥局所化領域は、各欠陥領域に先行して配置され、
前記データ記録領域から前記データを読み取る目的と、前記欠陥領域の位置についての位置情報を前記欠陥局所化領域から読み取る目的とで、前記データ担体を走査する走査手段と、
該走査手段を制御する走査制御手段と、
前記欠陥領域の位置についての前記位置情報によって、標準データ再生モードと欠陥領域制御モードとの間で、前記走査手段及び/又は前記走査制御手段を切り替える切り替え手段とを備えることを特徴とするデータ再生装置。
【請求項１７】
請求項16記載のデータ再生装置であって、
前記走査手段は、前記欠陥領域制御モードにおいて、前記欠陥領域から識別情報を読み取ることを可能にするよう企図されることを特徴とするデータ再生装置。
【請求項１８】
請求項17記載のデータ再生装置であって、
前記識別情報をデフォールト値と比較する比較手段が備えられることを特徴とするデータ再生装置。
【請求項１９】
請求項18記載のデータ再生装置であって、
前記比較手段は、前記識別情報が前記デフォールト値に一致しない場合に前記データ担体から前記データを読み取らないようにするよう企図されることを特徴とするデータ再生装置。
【手続補正２】
【補正対象書類名】明細書
【補正対象項目名】全文
【補正方法】変更
【補正の内容】
【発明の詳細な説明】
【技術分野】
【０００１】
本発明は、データ記録領域データが所定のデータ記録基準によって記憶される少なくとも１つのデータ記録領域を備えるデータ担体に関する。
【０００２】
本発明は、走査手段によってデータ担体を走査することによってデータ担体からデータを読み取るデータ再生方法に更に関する。
【０００３】
本発明は、データ担体からデータを読み取るデータ再生装置に更に関し、データは、所定のデータ記録標準によってデータ担体のデータ記録領域に記憶される。
【背景技術】
【０００４】
１つのそのようなデータ担体、１つのそのようなデータ再生方法及び１つのそのようなデータ再生装置は、国際公開第01/43123号の文献によって公知である。この文献は、データ担体上の使用されていない領域をデータ記録標準によって、これらの未使用領域に更なる識別情報を記憶する目的で活用するという着想を明らかにしている。より厳密には、上記文献は、CD-RWなどの光ディスクのトラック間のいわゆるランドと呼ばれる空間において書き込みレーザ・ビームによって情報が記録されるということから結果として生じるいくつかの可能性を記載している。この情報は、目に見えて認識可能なパターンがディスク上に現れるように作成することができる。このパターンは、例えば、指紋の画像であり、それによってデータ担体をユーザに一意に割り当てるものであってもよい。
【発明の開示】
【発明が解決しようとする課題】
【０００５】
従来技術のデータ担体、データ再生方法及びデータ再生装置において明らかになった欠点は、識別情報と、結果として生じるパターンとの各々が、データ記録標準によってデータ記録領域として定義により用いられない、データ担体の領域にしか書き込まれないというものである。この方策によって、データ記録標準が実施される全プレイヤ上でデータ担体が読み取り可能のままに留まるという想定される利点は、何れかのそのようなデータ担体の海賊コピーの作成が従来技術の方策によって何ら妨げられないという欠点によって打ち消される。この種のデータ担体の海賊コピーは元のデータ担体の目に見えて識別可能なパターン又は識別情報を保持するものでないが、海賊コピーは、なお完全に利用可能な状態に留まる。それは、海賊コピーがデータ記録標準をなお満たすからである。
【課題を解決するための手段】
【０００６】
本発明の目的は、上記欠点がないようにしている、本明細書の第１段落に規定されているタイプによるデータ担体と、第２段落に規定されているタイプのデータ再生方法と、第３段落に規定されているタイプのデータ再生装置とを作り出すことにある。上記課題を解決するために、本発明による特徴的な特性を本発明によるデータ担体に備えており、その結果、本発明によるデータ担体を以下の方法で特徴付けることができる。すなわち、
データ記録領域データが所定のデータ記録標準によって記憶されており、少なくとも１つの欠陥領域が埋め込まれている少なくとも１つのデータ記録領域を備えるデータ担体であって、欠陥領域は、所定のデータ記録標準の少なくとも１つのパラメータとの不一致が生じ、データ担体上の少なくとも１つの欠陥領域の位置についての位置情報を備える少なくとも１つの欠陥局所化領域とも不一致が生じ、欠陥局所化領域が各欠陥領域に先行して配置されるように企図される。
【０００７】
上記目的を達成するために、本発明による特徴的な特性が本発明によるデータ再生方法において備えられるので、本発明によるデータ再生方法を以下のように特徴付けることができる。すなわち、
データ担体を走査手段によって走査することによってデータ担体からデータを読み取るデータ再生方法であって、データは、所定のデータ記録標準によってデータ担体のデータ記録領域に記憶され、少なくとも１つの欠陥領域がデータ記録領域に埋め込まれ、その欠陥領域は、所定のデータ記録標準の少なくとも１つのパラメータとの不一致が生じるように企図され、不一致は好ましくは、データ記録方法によって標準に準拠した誤り訂正手法によって修正できないものであり、データ担体は、データ担体上の少なくとも１つの欠陥領域の位置についての位置情報を備える少なくとも１つの欠陥局所化領域を有し、走査手段に対して、各欠陥領域に先行して欠陥局所化領域が配置され、上記方法は、位置情報を欠陥局所化領域から読み取ることによってデータ担体上の少なくとも１つの欠陥領域を局所化する工程と、走査手段が、標準に準拠したデータ記録領域を走査する場合に、データ記録領域からデータを読み取る工程と、走査手段が欠陥領域にある場合に、データ記録領域における欠陥領域に隣接したデータ読み取り位置に走査手段を移動させる工程とを備える。
【０００８】
上記目的を達成するために、本発明による特徴的な特性を本発明によるデータ再生装置に備えるので、本発明によるデータ再生装置を以下のやり方で特徴付けることができる。すなわち、
データをデータ担体から読み取るデータ再生装置であって、データは、所定のデータ記録標準によってデータ担体のデータ記録領域に記憶され、少なくとも１つの欠陥領域がデータ記録領域に埋め込まれ、その欠陥領域は、所定のデータ記録標準の少なくとも1つのパラメータとの不一致が生じるように企図され、この不一致は好ましくは、データ記録標準による、標準に準拠した誤り訂正手法によって修正することができず、データ担体は、データ担体上の少なくとも１つの欠陥領域の位置についての位置情報を備える少なくとも１つの欠陥局所化領域を有し、欠陥局所化領域は、各欠陥領域に先行して配置され、上記データ再生装置は、データ記録領域からデータを読み取り、欠陥領域の位置についての位置情報を欠陥局所化領域から読み取る目的でデータ担体を走査する走査手段と、走査手段を制御する走査制御手段と、走査手段及び/又は走査制御手段を標準データ再生モードと欠陥領域制御モードとの間で、欠陥領域の位置についての位置情報によって切り替える切り替え手段とを備える。
【０００９】
本発明による特徴的な特性は、データ記録標準に準拠する記録装置を用いて作成される、本発明によるデータ担体の海賊コピーも、データ記録標準に準拠するデータ再生装置を用いてデータ担体からデータが読み取られることも妨げる役目を担う。データ担体上で記憶されているデータをよって、認可されていないアクセスから高い信頼度で保護することができる。更に、データ担体は、スクラッチなどの損傷に対する非常にロバストな保護を提供する。一方、本発明による方策は、データ担体に既存の製造ラインを形成し、データ再生装置にハードウェア及び/又はファームウェアを形成することによって比較的簡単に実施することができる。データ再生装置は、読み取る対象のデータ担体に指定されるデータ記録標準との互換性を有する状態に留まるが、固有の記憶媒体形式の運用性という更なる特性も提供する。本発明は、とりわけ、ゲーム・コンソールのメーカにとって特に効果的である。
【００１０】
請求項2記載の方策によれば、そのようなデータ担体が特別に装備された製造工場においてしか作成されることが可能でなく、それによって海賊コピーの作成による商業的な詐欺を非常に困難にするという効果が得られる。なお、そのような物理パラメータは、例えば、光学的データ担体の種々のレイヤの厚さ、位置、反射容量若しくは透明度、又は、データ担体上のデータ・トラックのトラック位置若しくは寸法を備え得る。
【００１１】
請求項3記載の方策によれば、製造工場を、本発明によるデータ担体の作成に特に再装備しなくてよいという効果が他方で得られる。論理パラメータは物理パラメータよりも簡単に変更できるので、この場合に重要な論理パラメータ値の秘密を保持すること及び/又は形成されるデータ再生装置におけるハードウェアによってその解析を実施することが必須である。
【００１２】
請求項4記載の方策によれば、本発明によるデータ担体上のデータによって本発明によって達成されるデータ・アクセス保護が、標準の再生装置において利用可能なものとして存在する誤り訂正手段によって行われるものでないという効果が得られる。
【００１３】
請求項5及び請求項12記載の方策によれば、データ記録標準との不一致が生じることなく欠陥局所化領域をデータ担体上に配置することができるという効果が他方で得られる。
【００１４】
請求項7、8、11、13、14及び17記載の方策によれば、各データ担体が識別可能である一方で、識別は、データ担体の、一連のメーカ若しくはユーザへの割り当て、又は特定のメーカ若しくはユーザへの割り当てなどの種々のレベルで行うことができる。識別情報は、当然、一意の識別番号も備え得る。識別情報は、データ担体上の目に見えるパターン、例えば、画像又は指紋を形成し得る。請求項18及び19記載の方策によれば、識別情報は非常に効果的なデータ・アクセス保護にも用い得る。
【００１５】
請求項9記載の方策によれば、既存のデータ再生装置を、連続してデータを再生するよう、比較的単純な方法で形成することができる。
【発明を実施するための最良の形態】
【００１６】
本発明のこれらや他の特徴は、以下に説明する実施例から明らかであり、実施例を参照しながら明らかになるものである。
【実施例】
【００１７】
図1は、例えば、CD、CD-ROM又はDVDとして、ディスク形状の光学的データ担体として企図された、本発明によるデータ担体1の平面図を示す。データ担体1は、データが所定のデータ記録標準、例えば、CD標準又はDVD標準によって記憶されるリング形状のデータ記録領域2を有する。CD標準とDVD標準との両方によって、データは、データ記録領域の内部エッジから外方向にらせん状に延びるデータ・トラックにおけるデータ記録領域において記憶される。データ記録領域2の内部エッジ上の同心円のリング形状の欠陥領域3があり、欠陥領域は、所定のデータ記録標準の少なくとも１つのパラメータとの不一致が生じるように企図される。なお、データ記録標準と不一致が生じるパラメータは、ポリカーボネート最上層の屈折率、データを備えるメタライゼーション・レベルの反射容量や、データ担体を走査するのに備えるレーザ・ビームの偏光レベルなどの物理パラメータであり得る。データ担体媒体におけるそのような改変によって、走査手段におけるサーボ回路が適切に機能しなくなってしまう。このことは、読み取りレーザ・ビームの焦点をくるわせかねず、データ・トラック上のその誘導も乱しかねない。なお、データ記録標準との不一致が生じるパラメータが論理パラメータであってよく、不一致は、欠落しているリードイン領域、欠落している目次、欠落しているか間違っているメディア・タグ又は走査手段校正明細などを備え得る。所定のパラメータは、例えば、CD標準又はDVD標準に関して決定的に重要な場合があり、それは、標準的な基準との不一致の結果、CD又はDVDが標準ドライブ上ではもう読み取り可能でない場合があるということを意味する。更に、データ担体1上の欠陥領域3の位置についての情報を備える、リング形状の欠陥局所化領域4が、データ記録領域2の内部エッジに沿って存在する。走査手段によるデータ記録領域の走査に関しては、欠陥局所化領域4はデータ記録領域に先行して配置される。
【００１８】
図2は、ディスク形状の光学的データ担体として、例えば、CD、CD-ROM、CD-RW、DVD又はDVD+(-)（R）Wとして企図される、本発明による別のデータ担体5の平面図を示す。データ担体5は、データが所定のデータ記録標準、例えばCD標準又はDVD標準によって記憶されるリング形状のデータ記録領域6を有する。所定のデータ記録標準のパラメータの少なくとも１つとの不一致が生じるように企図された扇形状又はストリップ形状の欠陥領域7は、内側から外方向にデータ担体の端まで、データ記録領域6をまっすぐ通って延びる。なお、データ記録領域における欠陥領域の形状及び位置は、これ以上何ら制限されず、欠陥領域がいくつかある場合もある。欠陥領域7に加えて、データ担体5上の欠陥領域7の位置についての情報を備える扇形状の欠陥局所化領域8も存在する。走査手段によるデータ記録領域の走査に関しては、欠陥局所化領域8はデータ記録領域7に先行して配置される。よって、CD標準又はDVD標準の場合、らせん状の各データ・トラックはまず、欠陥局所化領域8を通過し、次に、標準に準拠するデータ・トラックが中断される欠陥領域7を通過する。データ・ブロックは欠陥局所化領域8におけるらせん状のデータ・トラックの部分に符号化され、データ・ブロックは、位置情報として備えられ、例えば、欠陥領域を通って延び、この欠陥部分において標準との準拠性に欠けるという理由で、走査手段によって正常に走査できない、らせん状のデータ・トラックの部分上の開始位置及び終了位置を規定する、後の欠陥領域の特性及び位置についての情報を備える。データを読み取るうえで欠陥領域によって発生する誤りは、データ媒体上の表面上のスクラッチと違って、例えば、標準的な再生装置における、標準に準拠した誤り検出及び訂正の回路によって訂正することができないほど重大なものである。
【００１９】
データ担体1及び5上の欠陥領域3及び7は一方、不正空間又は干渉の情報を備えることによってデータ担体のデータ記録領域2及び6からデータを読み取ることを妨げるよう企図し得る。しかし、これらの領域は、使用されるデータ記録標準に定義されていない更なる識別情報を備えてもよく、更なる識別情報は、データ担体の一意の識別を容易にする。例えば、識別情報は、シリアル番号と、メーカ又はユーザの個人識別番号と、ユーザの指紋画像と、画像ファイル又は暗号化ファイルなどのディジタル・ファイルと、その他のものとのうちの1つ又は複数のものであってよい。
【００２０】
図3は、DVDとして企図される光学的データ担体5を走査する走査手段10の構成図である。DVD標準によれば、反射メタライゼーション層として企図されるデータ記録領域6は、各々の厚さが約0.6mmの２つの透明なポリカーボネート層5a、5bの間に配置される。データ担体5からデータを読み取る走査手段10は、放出されるレーザ・ビーム13がレンズ12によって集光され、データ記録領域6に向けられるレーザ・ダイオード11を備える。焦点調節コイル14を備えてレンズ12を調節する。データ記録領域6から反射されるレーザ・ビーム15は、光検出器16によって検出され、電気信号に変換され、電気信号は光検出器信号増幅器17によって増幅され、更に、フォーカシング・エラー信号生成器18に供給される。フォーカシング・エラー信号生成器18によって供給される出力信号は、フォーカシングPIDコントローラ19に入力信号として供給され、フォーカシングPIDコントローラでは、この信号が基準値・フォーカスオフセット値20と比較される。フォーカシングPIDコントローラ19は制御信号を供給し、この制御信号はドライバ21によって増幅され、この制御信号によって焦点調節コイル14はレンズ12を再調節するよう起動される。走査手段10は、標準ドライブに用いる通常の走査手段に相当する。
【００２１】
本発明によって、メタライゼーションが施されたデータ記録領域6が内表面に加えられるポリカーボネート層5aが施される厚さがより薄くなるように、この実施例では企図されたストリップ形状又は扇形状の欠陥領域7を備えたデータ担体5を企図する。このことによって、集光されたレーザ・ビーム13が欠陥領域7の端から端まで進む期間中に、PIDコントローラ19を備えている制御回路によって訂正できない程度にフォーカシング・レベルが変動する。その結果、走査手段10が実施されている標準的な再生装置は、この欠陥領域におけるデータ記録領域のレベル上のフォーカスを失う。更に、標準に準拠しているデータ担体の部分にレーザ・ビーム13が既に戻っている際にはいつでも、走査手段は再フォーカスを行い、正常なデータ・トラックを位置特定するうえで一定の回復時間がなお必要でもあるので、データ喪失が生じる。標準ドライブがデータ担体を読み取ることができないようにするには欠陥領域7の測定幅が約2乃至6mmであればよいということが明らかになっている。データ担体が欠陥領域7によって全く使用不能な状態になってしまわないようにするために、以下に更に詳細に機能を説明する欠陥局所化領域8が存在している。
【００２２】
図4は、本発明による光データ担体5の変形の平面図及び拡大図を示す。光データ担体5は、らせん形状のデータ・トラック6aが内側から外方向に延びるリング形状のデータ記録領域6を備え、そのデータはトラックに沿った凸領域及び凹領域によって特徴付けられる。データ・トラック6aは、データ・トラックの各部分6bが通常のパターンと比べて半径方向にオフセットされた欠陥領域7によって各巻線において中断される。その結果、データ・トラック6aを走査するレーザ・ビーム13は、欠陥領域7を走査する際にデータ・トラックを見失う。走査方向は矢印Aによって特徴付けられる。位置情報として備えられ、欠陥領域7におけるデータ・トラックの部分6bの次のミスアラインメントのサイズ及び位置に関する情報を備えるデータを有するデータ・トラックの部分６cのうちの１つにおいて、走査方向において欠陥領域7に先行して欠陥局所化領域8が存在する。しかし、以下に説明するデータ再生装置は、データ・トラックの部分6cにおけるこのデータを正しく解釈するのに必要である。通常の装置の場合、そのようなデータ担体は読み取り不能であるものとして拒否されることになる。
【００２３】
図5は、本発明によるデータ再生装置の構成図を示す。このデータ再生装置は、本発明によって、欠陥領域と、欠陥領域の位置を示す欠陥局所化領域が、標準に準拠したデータ担体とは違って、追加される、図1乃至図4に示すデータ担体からデータを読み取るのに適している。本発明によるデータ再生装置は、図3に基づいて既に説明したように通常の特性のものであり得る走査手段10、すなわち、放出されるレーザ・ビーム13がレンズ12によって集光され、データ記録領域6に向けられるレーザ・ダイオード11を備えている走査手段を備える。焦点調節コイル14を備えてレンズ12の焦点を調節する。データ記録領域6から反射されるレーザ・ビーム15は、光検出器16によって検出され、電気信号に変換され、この電気信号は回路ブロック22に供給される。回路ブロック22は、光検出器16からの信号の増幅、フィルタリング及び他の処理を行うようにし、データ担体から読み取られるデータ（すなわち、データ記録領域6から読み取られ、所定のデータ記録標準によって符号化されるデータと、標準に準拠するものでなく、欠陥局所化領域8から読み取られ、適切な場合、欠陥領域7から読み取られるデータ）にシリアル・コードが割り当てられる、一方の高周波信号路23と、走査手段におけるサーボ回路を再調節するサーボエラー信号などを備える、他方の低周波経路との２つの出力信号路を生成する。サーボエラー信号は、走査レーザ・ビームのフォーカス・エラー及び半径誤差を表し得る。
【００２４】
低周波信号路24は、走査手段10を制御するサーボ回路を備える走査制御手段25につながる。特に、走査制御手段25は、供給されるフォーカシング・エラー信号から制御信号を生成するフォーカシングPIDコントローラ19を備え、制御信号は、レンズ12の焦点を再調節する焦点調節コイル14を駆動するドライバ21によって増幅される。更に、走査制御手段25は、レーザ・ビームをトラッキングする、すなわち、集光させたレーザ・ビーム13をらせん形状のデータ・トラック上に保つ、役割を果たすラジアルPIDコントローラ26を備える。ラジアルPIDコントローラ26は、半径誤差信号を低周波信号路24から受信し、この誤差信号に基づいて制御信号を生成し、この制御信号は、磁石28と相互作用してレーザ・ビームの半径方向でのミスアラインメントを施すトラッキング・コイル29を駆動するドライバ27において増幅される。
【００２５】
本発明によるデータ担体5からデータを読み取るために、通常の走査手段10及び走査制御手段25に加えて、高周波信号路23上のデータから欠陥領域の位置についての位置情報を検出する切り替え手段29も存在し、この所定のデータはデータ担体5上の欠陥局所化領域8から生じる。この位置情報に基づいて、切り替え手段29は、標準データ再生モードと欠陥領域制御モードの間で走査制御手段25を切り替え、それによって走査手段10を間接的に切り替える。なお、欠陥領域の位置についての位置情報は、データ担体上又はデータ・トラック上のその欠陥領域の絶対位置又は相対位置を備え得る。更に、位置についての位置情報は、使用されるデータ記録標準から暗黙的に結論付けることもできる。例えば、内側から外方向に凸領域及び凹領域の形式で延びるらせん状のデータ・トラック上にデータが記憶されるということはCD形式又はDVD形式によって分かる一方、CD又はDVDの現在の回転速度はいつでも分かっているので、例えば、タグ・データ・ブロックがデータ・トラック内で生起した後の所定の遅延時間に続いて、所定のデータ記録標準によるデータ・トラックの読み取りを不可能にする欠陥が生起することになるということを本発明によって述べることができる。タグ・データ・ブロックは、欠陥の長さについての情報及び/又は、情報について欠陥を走査するためか、少なくともその解決に成功するためにとらなければならない方策の特性についての情報も備え得る。
【００２６】
図5に示す、本発明によるデータ再生装置の実施例では、高周波信号路23のデータにおける上記タグ・データ・ブロックを検出し、これを解析し、これに備えられる情報は、例えば、xμsの間に生起する欠陥が、内方向又は外方向へのyμmの、データ・トラックの半径方向のミスアラインメントによって特徴付けられるか、上方向又は下方向へのzμmの、フォーカシング・レベルのミスアラインメントによって特徴付けられる欠陥であるというものであり得る。この情報が備えられれば、切り替え手段29は、制御回路における何らかの遅延時間と、走査手段側の機械的慣性とを十分に考慮して、所定の切り替え時点で標準データ再生モードから欠陥領域制御モードに走査制御手段25を、レーザ・ビーム13をトラッキングするよう、トラッキング・コイル29の相当する、半径方向のミスアラインメントにつながり、よって、レーザ・ビーム13の相当する、半径方向のミスアラインメントにつながる変更された基準値を、走査制御手段25において実施されるトラッキングPIDコントローラ26にディジタル・アナログ変換器30を介して設定すること及び/又は、レーザ・ビーム13をフォーカシングするよう、走査制御手段25において実施されるフォーカシングPIDコントローラ19に、焦点調節コイル14の相当する再調節につながり、よって、レーザ・ビーム13のフォーカシング・レベルの相当する再調節につながる変更された基準値を設定することによって切り替えることができる。タグ・データ・ブロックは、後続する欠陥領域又は全欠陥領域に関するタイミング情報33を更に備えてもよく、この情報は、切り替え手段29からマイクロコントローラ31に転送され、マイクロコントローラはこの情報をバッファ・メモリに記憶し、コントローラ自体としては、このタイミング情報によって、制御線32及び切り替え手段29を介して走査制御手段25を起動させる。
【００２７】
本発明によるデータ担体は、データ再生装置における、本発明によるこれらの方策なしでは読み取ることが可能でないことになるが、それは、データを何ら有しないか、無効データ又は読み取り不能データを有する、相当する長さの欠陥が通常のCDドライブ又はDVDドライブにおけるデータ・クロック・レート同期回路が一致しなくなるようにするからである。一方、本発明によるデータ再生装置は、CD標準又はDVD標準との下方互換性を維持し、よって、通常のCD並びにDVDの読み取り（及び、適切な場合、それらへの書き込み）を行うことができる。
【００２８】
本発明によるデータ担体上のデータ保護を更に向上させるようにするために、識別情報を欠陥領域に符号化することができ、それは、データ担体から予め読み取られ、再生装置において解析される。図5に示す、本発明によるデータ再生装置の記載によれば、データ担体のデータ記録標準に準拠するものでない情報を欠陥領域から読み取ることができる欠陥領域制御モードに切り替えることができる。この識別情報は、高周波信号路23を介して伝送される。
【００２９】
図6は、図5に示す、本発明によるデータ再生装置を補完する識別解析回路の構成図を示す。図6における回路では、マイクロコントローラ31は、高周波信号路23を傍受し、これから識別情報をフィルタリングし、この情報は、先行してメモリ35に記憶されているデフォールト値と比較される。ここに示す実施例では、デフォールト値は、指紋スキャナ34から受領することもできる。識別情報は、マイクロコントローラ31によってデフォールト値と比較され、比較が特定の基準に準拠しない場合、停止信号を走査制御手段25に送ってデータ担体をもう走査しないようにする。なお、デフォールト値は、基準CDから読み取ることによってメモリ35に書き込むことができる。
【図面の簡単な説明】
【００３０】
【図１】本発明によるデータ担体を示す平面図である。
【図２】本発明によるデータ担体の別の実施例を示す平面図である。
【図３】光データ担体を走査する走査手段を示す構成図である。
【図４】本発明による光学的データ担体の別の実施例を示す平面図及び拡大図である。
【図５】本発明によるデータ再生装置を示す構成図である。
【図６】図5に示すデータ再生装置を補完する識別解析回路を示す構成図である。
【国際調査報告】
2006526866.tif 000009
2006526866.tif 000010
2006526866.tif 000011
2006526866.tif 000012